(57)【特許請求の範囲】
【請求項１】
収納液の取り出しによる内部負圧化に伴って収縮する収納液密閉用の液充填袋２を有する容器体３に取り付けて使用されるポンプであって、上記容器体内上部に垂下させたシリンダ４と、該シリンダ内に摺動可能に嵌合させた環状ピストン22を下部に有するとともに、上端部の押し下げヘッド23を容器体上方へ突出させて上方付勢状態で上下動可能に設けた上下動部材５とを備え、該部材５の上下動により容器体内の液をシリンダ４内へ吸い上げてヘッド23の注出口より注出する如く構成した液体注出ポンプに於いて、上記シリンダの底壁14中央に穿設した吸引口15周縁より下方へ嵌合筒部16を垂設させ、該筒部16内に嵌合させた上端の嵌合部36より下方へ、平行して垂下する二枚の支持板部40下面をドーナツ板状部41上面に一体に連結し且つ各支持板部40間を掛け渡して前後に突出する円弧板状部42を複数互い違いに設けた隙間保持部37を延設するとともに、該保持部37下端を上記液充填袋２内下部に垂下させ、且つ、上記嵌合部36外周に液流通用の凹溝38を周方向複数縦設してなる隙間保持体39を設け、上記嵌合筒部16内のシリンダ底壁14下面と隙間をあけて嵌合部36上端を嵌着固定させることにより、各凹溝38上端開口を吸引口15と連通させてなることを特徴とする液体注出ポンプ。
【発明の詳細な説明】
【０００１】
【産業上の利用分野】
本発明は液体注出ポンプに関し、詳しくは、可撓性の液充填袋を内装した容器体に装着して使用する液体注出ポンプに関する。
【０００２】
【従来の技術】
一般に、高粘度であったり、或いは嫌気性の収納液を一定量で注出する液体注出ポンプとして、可撓性の液充填袋が内装された容器体に取り付け使用されるものがある。これらポンプは、容器体上部に垂下させたシリンダと、該シリンダ内に摺動可能に嵌合させた環状ピストンを下部に有するとともに、上端部の押し下げヘッドを容器体上方へ突出させて上方付勢状態で上下動可能に設けた上下動部材とを備えている。
【０００３】
また、上記シリンダの底壁には吸引口を穿設し、この吸引口周囲の底壁裏面より垂設した嵌合筒部に上端を嵌合した円筒状の吸い上げパイプを液充填袋内下部に垂下させている。
【０００４】
そして、上記上下動部材を上下動させることにより容器体内の液を吸い上げパイプ下端開口より吸引口を介してシリンダ内へ吸い上げ、また、シリンダ内の液をヘッドの注出口より注出する如く構成している。
【０００５】
【発明が解決しようとする課題】
ところが、上記した従来のものに於いては、使い初めのときには問題ないが、収納液が少なくなってくると液充填袋が吸い上げパイプ等に密着し易くなり、吸い上げパイプ下端開口が塞がれて、収納液を吸引することができなくなる。このため、ポンプが完全復帰することができなくなり、収納液が残留するという問題があった。
【０００６】
また、液充填袋が吸い上げパイプ等に密着することによって、液充填袋上部にある収納液が吸い上げパイプ下端開口まで流下することを阻止し、併せて液充填袋の底部が重点的にしぼむことによって収納液が上部に溜まることとなる。このように収納液が液充填袋の上部に残留しては不経済である。
【０００７】
本発明はこのような従来の技術の欠点に鑑みなされたもので、液充填袋が収納液のシリンダ内への吸い上げの邪魔をすることがなく円滑且つ確実な液の注出が行えるとともに、収納液の略全量を注出することが出来、しかも生産性に優れた安価に製造できる液体注出ポンプを提案するものである。
【０００８】
【課題を解決するための手段】
第１の手段として、収納液の取り出しによる内部負圧化に伴って収縮する収納液密閉用の液充填袋２を有する容器体３に取り付けて使用されるポンプであって、上記容器体内上部に垂下させたシリンダ４と、該シリンダ内に摺動可能に嵌合させた環状ピストン22を下部に有するとともに、上端部の押し下げヘッド23を容器体上方へ突出させて上方付勢状態で上下動可能に設けた上下動部材５とを備え、該部材５の上下動により容器体内の液をシリンダ４内へ吸い上げてヘッド23の注出口より注出する如く構成した液体注出ポンプに於いて、上記シリンダの底壁14中央に穿設した吸引口15周縁より下方へ嵌合筒部16を垂設させ、該筒部16内に上端部を嵌着固定させて下端を上記液充填袋２内下部に垂下させるとともに、筒壁外周上端より下端に至る突条29を周方向複数縦設してなる異形パイプ６を設け、上記各突条29間に形成される各凹溝30上端開口を上記吸引口15と連通させてなることを特徴とする液体注出ポンプとして構成した。
【０００９】
また、第２の手段として、上記第１の手段に於いて、上記嵌合筒部内のシリンダ底壁14下面と隙間をあけて異形パイプ６上端を嵌着固定させることにより、各凹溝30上端開口を吸引口15と連通させた。
【００１０】
また、第３の手段として、上記第１又は第２の手段に於いて、上記異形パイプ６の筒壁に透孔31を穿設した。
【００１１】
また、第４の手段として、上記第３の手段に於いて、上記透孔31が、上記突条29突設部分の筒壁に突条29部分を貫通して穿設してなる透孔31a とした。
【００１２】
また、第５の手段として、収納液の取り出しによる内部負圧化に伴って収縮する収納液密閉用の液充填袋２を有する容器体３に取り付けて使用されるポンプであって、上記容器体内上部に垂下させたシリンダ４と、該シリンダ内に摺動可能に嵌合させた環状ピストン22を下部に有するとともに、上端部の押し下げヘッド23を容器体上方へ突出させて上方付勢状態で上下動可能に設けた上下動部材５とを備え、該部材５の上下動により容器体内の液をシリンダ４内へ吸い上げてヘッド23の注出口より注出する如く構成した液体注出ポンプに於いて、上記シリンダの底壁14中央に穿設した吸引口15周縁より下方へ嵌合筒部16を垂設させ、該筒部16内に嵌合させた上端の嵌合部36より下方へ、平行して垂下する二枚の支持板部40下面をドーナツ板状部41上面に一体に連結し且つ各支持板部40間を掛け渡して前後に突出する円弧板状部42を複数互い違いに設けた隙間保持部37を延設するとともに、該保持部37下端を上記液充填袋２内下部に垂下させ、且つ、上記嵌合部36外周に液流通用の凹溝38を周方向複数縦設してなる隙間保持体39を設け、上記嵌合筒部16内のシリンダ底壁14下面と隙間をあけて嵌合部36上端を嵌着固定させることにより、各凹溝38上端開口を吸引口15と連通させてなることを特徴とする液体注出ポンプとして構成した。
【００１３】
【作用】
液充填袋２内の液が減少することにより該袋がしぼんで異形パイプ６下端開口を閉塞することがあっても、液充填袋２内の液は各凹溝30を通り、その上端から吸引口15を介してシリンダ４内へ導入される。
【００１４】
第２の手段に於けるポンプでは、嵌合筒部16内のシリンダ底壁14下面により閉塞される異形パイプ６上面部分を少なくすることが出来、パイプ６上面が底壁14下面と当接したものと比較して異形パイプ上面の開口面積を大きくできる。
【００１５】
第３の手段及び第４の手段のポンプでは、仮に異形パイプ６の下端開口が液充填袋２により閉塞されることがあっても、上記した各凹溝30からのシリンダ４内への液の導入に加え、各透孔31（31a ）からパイプ内を通りシリンダ４内への液の導入がある。
【００１６】
第５の手段のポンプでは、隙間保持体39の嵌合部36上面により吸引口15を狭くすることはない。
【００１７】
【実施例】
以下、本発明の実施例を図面を参照して説明する。
図１は本発明の一実施例を示すもので、本発明液体注出ポンプ１は、内部に液充填袋２を有する容器体３に取り付けて使用されるもので、シリンダ４と、上下動部材５と、異形パイプ６とを備えている。
【００１８】
容器体３は筒状胴部７上端縁より口頚部８を起立して構成しており、口頚部８外周には螺条を周設している。この容器体の胴部７から口頚部８に至る内面全面及び口頚部上面に亘り液充填袋２が剥離可能に積層されている。また、口頚部８下部には透孔９を穿設して容器体３内面及び該内面から剥離する液充填袋２との間に外気を導入可能に構成している。
【００１９】
尚、本発明に於いて液充填袋２は上記した如き容器体内面に剥離可能に積層したものに限らず、容器体内に単に挿入させたものであっても良く、従来のこの種容器に使用される液充填袋の形態であればいずれも採用できる。
【００２０】
シリンダ４は、装着キャップ10により上端を容器体口頚部に固定させるとともに、その下端部を容器体内上部に垂下させている。本実施例では、容器体口頚部８上面にパッキン11を介して載置させたフランジ12を周壁13上端より突設するとともに、周壁13下端縁より延設した底壁14中央には吸引口15を穿設し、また、吸引口15周囲の底壁下面より下方へ嵌合筒部16を一体に垂設している。
【００２１】
また、装着キャップ10は、容器体口頚部８外周に螺着させる周壁17上端縁より内向きフランジ状の頂壁18を延設し、また、頂壁中央の窓孔周縁から下方へ短筒19を垂設し、更に、頂壁18上面からは上下動部材５の上下動を案内する案内筒20を立設して構成している。
【００２２】
そして、上記フランジ12を装着キャップ頂壁18下部の周壁17と短筒19間に嵌合させてシリンダ４を装着キャップ10に固定させるとともに、装着キャップ周壁17を口頚部８外周に螺着させることにより、容器体口頚部８上面にパッキン11介してシリンダのフランジ12を圧接し、以てシリンダを容器体に固定させている。
【００２３】
また、シリンダ４内には吸い込み弁21を設けている。この吸い込み弁21は、シリンダ周壁13内下端部に嵌着させたリング状の枠部21a と、上記吸引口15上面を閉塞する弁板21b とを周方向複数の弾性板部21c により一体に連結させて構成した公知機構のものである。
【００２４】
上下動部材５は、上記シリンダ４内に摺動可能に嵌合させた環状ピストン22を下部に有するとともに、上端部の押し下げヘッド23を容器体上方へ突出させて上方付勢状態で上下動可能に設けたものである。
【００２５】
本実施例では、シリンダ４内周に上下摺動可能に外周縁を嵌合させた断面Ｈ状をなす環状ピストン22の内周縁部を、シリンダ４内中央部に上下動可能に挿入したステム24の外周下部に所定幅の上下動が可能に嵌合させ、また、ステム24の上端にはノズル25付き押し下げヘッド23を嵌着固定して、ステム24内上端と上記ノズル25内とを連通させ、また、押し下げヘッド23の頂壁裏面と上記装着キャップの頂壁上面との間に介在されたコイルスプリング26により常時上方へ付勢させている。更に、ヘッド23の周壁を上記案内筒20外周に上下動可能且つ抜け出し不能に嵌合させている。
【００２６】
上記環状ピストン22を嵌合した部分のステム24には透孔27を穿設し、環状ピストン22内周下端縁がその透孔27下部位置に突設したフランジ部28上面に圧接する際に、その透孔27が閉塞されてシリンダ４内とステム24内とが遮断され、また、環状ピストン22がステム24と相対的に上昇する際には透孔27を介してシリンダ４内とステム24内とが連通する如く構成している。
【００２７】
そして、ヘッド23を押し下げるとシリンダ４内が加圧されるとともに、環状ピストン22がステム24に対して相対的に押し上げられ、加圧液がシリンダ４より透孔27を通りステム24を介してノズル25先端の注出口から外部に注出される。一方、上下動部材５が上昇する際はシリンダ４内が負圧化し、環状ピストン22が相対下降して透孔27を閉塞させるとともに、吸い込み弁21が開いて容器体内の液をシリンダ４内へ導入する。
【００２８】
尚、本発明に於いて上記シリンダや上下動部材等の具体的構成は上記実施例のものに限らず、従来のこの種ポンプに使用されているポンプ機構であれば採用できる。
【００２９】
異形パイプ６は、円筒状の筒壁外周上端より下端に至る突条29を周方向複数縦設したもので、その上端外周面を上記嵌合筒部16内に嵌着固定させ、下端を液充填袋２内下部に垂下させている。また、各突条間に形成される各凹溝30上端とシリンダ４の上記吸引口15とを連通させて嵌合筒部内に嵌合させている。各凹溝30上端と吸引口15との連通は、異形パイプ６の筒壁の外径を吸引口15の内径より小さく形成することにより行っている。
【００３０】
上記突条29の数は複数であればよいが、嵌合筒部16へ確実に安定して嵌着固定させるためには三本以上あるのが好ましい。また、突条29の横断面形状も、図２に示す如き、横断面矩形状をなす一般的なものに限らず、図３に示す如く、横断面Ｔ字状をなすものであっても、その他の横断面形状をなしていても良い。
【００３１】
異形パイプ６は図４に示す如く、各突条29間の筒壁に複数の透孔31を穿設したものであっても良く、或いは、図５に示す如く、突条29突設部分の筒壁に突条29を貫通して複数の透孔31a を穿設したものであってもよい。尚、上記各透孔31,31aは一箇所だけ設けても良い。
【００３２】
上記第２の手段のポンプでは、上記第１の手段のポンプに於いて、上記嵌合筒部16内のシリンダ底壁14下面と隙間をあけて異形パイプ６上端を嵌着固定させることにより、各凹溝30上端開口を吸引口15と連通させる如く構成している。
【００３３】
例えば、図６に示す如く、嵌合筒部16内周上部に下向き段部32を周設し、該段部32下面に各突条29上面周縁部が当接する状態で異形パイプ６を嵌着固定させる。
【００３４】
また、図７に示す如く、嵌合筒部16内面上端部に周方向多数設けたリブ33の下面に、各突条29の上面周縁部が当接する状態で異形パイプ６を嵌着固定させても良く、或いは図８に示す如く、上部内面に下向き段部34を有するリブ35を周方向多数設け、各リブ35の下向き段部34下面に、各突条29の上面周縁部が当接する状態で異形パイプ６を嵌着固定させても良い。
【００３５】
尚、図７及び図８に示す如きリブを突設した嵌合筒部16の場合には、異形パイプ６の突条29を図３に示す如き横断面Ｔ字状とする必要がある。
【００３６】
また、第５の手段のポンプでは、上記嵌合筒部16内に嵌合させた上端の嵌合部36より下方へ、液充填袋による吸引口の閉塞を邪魔する隙間保持部37を延設するとともに、該保持部37下端を上記液充填袋２内下部に垂下させ、且つ、上記嵌合部36外周に液流通用の凹溝38を周方向複数縦設してなる隙間保持体39を設け、上記嵌合筒部16内のシリンダ底壁14下面と隙間をあけて嵌合部36上端を嵌着固定させることにより、各凹溝38上端開口を吸引口15と連通させている。
【００３７】
その他の構成は図１のポンプと同様なので同様符号を付しておく。
本実施例に於いてこの隙間保持体39は、図９及び図１０に示す如く、横断面十字板状の嵌合部36を有し、該嵌合部36下面より、隙間保持部37を垂設している。隙間保持部37は、平行して垂下する二枚の支持板部40下面をドーナツ板状部41上面に一体に連結し、また、各支持板部40間を掛け渡して前後に突出する円弧板状部42を複数設けている。また、その嵌合部36の上端は嵌合筒部16内に周設した下向き段部32下面に当接係止させ、その上方に隙間を設けている。
【００３８】
隙間保持体39は上記実施例のものに限らず、嵌合筒部16内に嵌合させた上端の嵌合部より下方へ、液充填袋による吸引口の閉塞を邪魔する隙間保持部を延設するとともに、保持部下端を液充填袋内下部に垂下させ、且つ、嵌合部外周に液流通用の凹溝を周方向複数縦設したものであればよい。
【００３９】
尚、上記各部材は主として合成樹脂を使用して形成し、必要に応じてエラストマー，金属等を使用して形成する。
【００４０】
【発明の効果】
以上説明した如く本発明ポンプは、シリンダの底壁中央に穿設した吸引口周縁より下方へ嵌合筒部を垂設させ、また、該筒部内に上端外周面を嵌着させて下端を液充填袋内下部に垂下させるとともに、筒壁外周上端より下端に至る突条を周方向複数縦設してなる異形パイプを設け、各突条間に形成される凹溝上端を上記吸引口と連通させて嵌合筒部内に異形パイプを嵌着固定させたので、液が減少して液充填袋がしぼんだ際に、たとえそれが異形パイプ下端開口を閉塞することがあっても、各凹溝を通り、その上端からシリンダ内に液が導入されるため、上下動部材の作動不良が生じたりすることがなく、円滑な作動が行えるとともに、袋内の収納液の略全量を注出することができるものである。
【００４１】
また、異形パイプの構造は極めて簡単であるため、従来のこの種容器の極一部の構造を変えることにより製造出来て生産性に優れ、安価に製造することができるものである。
【００４２】
また、第２の手段のポンプでは、シリンダ底壁下面と隙間をあけて異形パイプ上端を嵌合筒部内に嵌着固定させることにより、各凹溝上端開口を吸引口と連通させたので、異形パイプ上端がシリンダ底壁下面と当接して凹溝上端開口と吸引口とが連通する場合と比較して吸引口，嵌合筒部等の径の制限が少なく、従って、ポンプ全体を小さく形成しても円滑な作動が行えるとともに、収納液の効率の良い注出を行えるものである。
【００４３】
更に、第３の手段のポンプでは、異形パイプの筒壁に透孔を穿設したので、該透孔は各突条の存在によりパイプの下端開口と比較して閉塞され難く（複数穿設しておくとより顕著）、その結果、上記した各凹溝からシリンダ内への液の導入に加え、各透孔からパイプ内を通りシリンダ内への液の導入があり、より円滑な上下動部材の作動を行えるとともに、注出効率の良い収納液の注出を行えるものである。
【００４４】
また、第４の手段のポンプでは、第３の手段のポンプと比較して液充填袋が透孔を閉塞する余地が更に少なくなるため、更なる上下動部材の円滑な作動、、注出効率の良い収納液の注出を行えるものである。
【００４５】
また、第５の手段のポンプも、上下動部材の作動不良が生じたりすることがなく、円滑な作動を行えるとともに、収納液の略全量を注出することが出来、しかも、ポンプ全体を小さく形成してもこれらの効果を得られるものである。
【図面の簡単な説明】
【図１】本発明の一実施例を示す半断面図である。
【図２】同実施例の異形パイプを示す要部斜視図である。
【図３】異形パイプの他の一例を示す要部斜視図である。
【図４】異形パイプの更に他の一例を示す要部斜視図である。
【図５】異形パイプの更に他の一例を示す要部斜視図である。
【図６】本発明の他の実施例を示す半断面図である。
【図７】本発明の更に他の実施例を示す要部半断面図である。
【図８】本発明の更に他の実施例を示す要部半断面図である。
【図９】本発明の更に他の実施例を示す半断面図である。
【図１０】同実施例の隙間保持体を示す斜視図である。
【符号の説明】
２…液充填袋，３…容器体、４…シリンダ，５…上下動部材，
６…異形パイプ，14…シリンダ底壁，15…吸引口，16…嵌合筒部，
22…環状ピストン，23…押し下げヘッド，29…突条，30…凹溝，31，31a …透孔，
36…嵌合部，37…隙間保持部，38…凹溝，39…隙間保持体
【図１】
0003565450.tif 000002
【図２】
0003565450.tif 000003
【図３】
0003565450.tif 000004
【図４】
0003565450.tif 000005
【図５】
0003565450.tif 000006
【図６】
0003565450.tif 000007
【図７】
0003565450.tif 000008
【図８】
0003565450.tif 000009
【図９】
0003565450.tif 000010
【図１０】
0003565450.tif 000011